(57)【要約】【課題】  把手用ハンドルを常に上側から掴めるようにして持ち易く、かつ家具などに引っ掛かりにくい形状の把手用ハンドルを有する電気掃除機を提供する。【解決手段】  電気掃除機のスタンド収納時は延長管１０は掃除機本体４の底面側に固定され、把手用ハンドル１は無荷重であるため、掃除機本体４の側面側で連結部２と平行に位置し、延長管９の収納の妨げとはならない。清掃時に把手用ハンドルを掴んで掃除機本体を持ち上げる際には、把手用ハンドル１が復元力のある付勢力手段に抗して回転可能であるので、連結部２に対して回転し、把手用ハンドル１は常に上から持つことができるように、床面１２に対して平行な位置となる。【選択図】      図３
2005087658.tif 000002
【特許請求の範囲】
【請求項１】
ホースと掃除機本体との連結部に把手用ハンドルを構成した電気掃除機において、把手用ハンドルを連結部の側面に配置し、該ハンドルを使用しない時は、ハンドルと連結部が平行に位置し、該ハンドルの使用時は、ハンドルが連結部に対して回転し、ハンドルは常に上から持つことができるように位置する機能を有することを特徴とする電気掃除機。
【請求項２】
前記把手用ハンドルは掃除機本体の重心が軽い側の連結部の側面に設けることを特徴とする請求項１記載の電気掃除機。
【請求項３】
前記把手用ハンドルの把手部は曲面形状であることを特徴とする請求項１記載の電気掃除機。
【請求項４】
ホースと掃除機本体との連結部の側面に構成される把手用ハンドルは、連結部に対して回動可能に構成され、ハンドルの未使用時は、付勢手段の作用により、連結部に平行に位置し、ハンドルの使用時は、付勢手段の付勢力に抗して回転可能としたことを特徴とする電気掃除機。
【発明の詳細な説明】
【技術分野】
【０００１】
本発明は電気掃除機に関する。
【背景技術】
【０００２】
最近の電気掃除機では、清掃が終了してもホース掃除機本体に接続したまま、即ち、清掃状態のまま掃除機本体を立て置きし、更に掃除機本体に延長管を係  止して簡易収納している。従来のそのようなタイプの電気掃除機では、例えば図８、図９に示すようなスタンド収納図のものがある。
【０００３】
図８において、１は把手部、２は連結部、３は掃除機本体、４はホース、１０は延長管である。把手１は掃除機本体３とホース４との連結部２に形成されており、掃除機本体を持ち運ぶ場合は、把手部１を掴んで移動することができる（特許文献１参照）。
【０００４】
しかし、このタイプのものは把手部１にスムーズに手が入り掴み易いようにするため、把手部１の湾曲面の方向が掃除機本体の底面を向くように形成されている。そのため、清掃時には把手部１の湾曲面が床面の障害物や家具類に衝突したり、ぶつかることがあり、スムーズな掃除ができない場合があった。
【０００５】
また、他の例として図９に示すものがある。図９において、１は把手部、２は連結部、３は掃除機本体、４はホース、１０は延長管である。把手１は掃除機本体３とホース４との連結部２に形成されており、掃除機本体を持ち運ぶ場合は、把手部１を掴んで移動することができる（特許文献２参照）。
【０００６】
しかし、このタイプのものは把手部１が、掃除機本体の上面で、連結部２に平行に形成されているため、清掃時のように把手部１を使用せずに掃除機本体を引き回す時は、掃除機本体の底面には把手部１がないので、床面の障害物や家具類に衝突したり、ぶつかることはなく、また、家具などに引っ掛かりにくい流線型のような形状が可能となるが、掃除機本体を持ち運ぶ場合のような把手部１の使用時には、マグカップのように把手部１の側面からしか持つことができず掴みにくかった。
【０００７】
【特許文献１】特開平６−３１９６６７号公報
【特許文献２】特開平７−３９４８５号公報
【発明の開示】
【発明が解決しようとする課題】
【０００８】
このように、従来の把手部の形状及び配置では、清掃時には把手部の湾曲面が床面の障害物や家具類に衝突したり、ぶつかることがあり、スムーズな掃除ができない場合があったり、また、掃除機本体を持ち運ぶ場合のような把手部の使用時には、マグカツプのように把手部の側面からしか持つことができず掴みにく位という問題があった。そこで、本発明は、把手用ハンドルを常に上側から掴めるようにして持ち易く、かつ家具などに引っ掛かりにくい形状の把手用ハンドルを有する電気掃除機を提供することを目的とする。
【課題を解決するための手段】
【０００９】
上記課題を解決するために、本発明の請求項１に係る電気掃除機は、ホースと掃除機本体との連結部に把手用ハンドルを構成した電気掃除機において、把手用ハンドルを連結部の側面に配置し、該ハンドルを使用しない時は、該ハンドルと連結部が平行に位置し、該ハンドルの使用時は、該ハンドルが連結部に対して回転し、ハンドルは常に上から持つことができるように位置する機能を有する構成とした。
【００１０】
こうして、床面に置かれた掃除機本体の連結部の把手用ハンドルを使用者の手が掴む際、把手用ハンドルは連結部の側面側で平行に配置されているので、掴む時に把手部は常に上側から握ることができて、容易に掴むことができる。
【００１１】
本発明の請求項２に係る電気掃除機は、ホースと掃除機本体との連結部に把手用ハンドルを構成した電気掃除機において、把手用ハンドルを掃除機本体の重心が軽い側の連結部の側面に配置し、該ハンドルを使用しない時は、ハンドルと連結部が平行に位置し、該ハンドルの使用時は、該ハンドルが連結部に対して回転し、該ハンドルは常に上から持つことができるように位置する機能を有する構成とした。
【００１２】
こうして、把手用ハンドルは掃除機本体の重心が軽い側の連結部の側面に設けることにより、持ち運ぶ際に、重心が重い方が下になりバランスよく持つことができる。
【００１３】
本発明の請求項３に係る電気掃除機は、ホースと掃除機本体との連結部に把手用ハンドルを構成した電気掃除機において、把手用ハンドルの把手部は曲面形状であり、かつ、連結部の側面に配置し、該ハンドルを使用しない時は、ハンドルと連結部が平行に位置し、該ハンドルの使用時は、ハンドルが連結部に対して回転し、ハンドルは常に上から持つことができるように位置する機能を有する構成とした。
【００１４】
こうして、把手用ハンドルの把手部は曲面形状に形成されているので、清掃作業中に床面を引き回す際に、家具等にぶつかっても曲面形状で滑らかに回避し、衝撃力を逃すことができる。
【００１５】
本発明の請求項４に係る電気掃除機は、ホースと掃除機本体との連結部の側面に構成される把手用ハンドルは、連結部に対して回動可能に構成され、ハンドルの未使用時は、付勢手段の作用により、連結部に平行に位置し、ハンドルの使用時は、付勢手段の付勢力に抗して回転可能とする構成とした。
【００１６】
こうして、床面上の掃除機本体を把手用ハンドルを手で掴んで持ち上げる際には、把手用ハンドルが付勢手段に抗して回転可能であるので、連結部に対して回転し、把手用ハンドルは常に上から持つことができるように、床面に対して平行な位置となる。これにより、使用者の手が把手用ハンドルを握る方向と動作が自然であり、使い勝手の良い電気掃除機が得られる。そして、掃除機本体を立て掛けて把手用ハンドルから手を離すと、付勢手段の復元力により把手用ハンドルは連結部と平行にすることができる。
【発明の効果】
【００１７】
以上のように本発明の電気掃除機は、床面に置かれた掃除機本体の連結部の把手用ハンドルを使用者の手が掴む際、把手用ハンドルは連結部の側面側で平行に配置されているので、掴む時に把手部は常に上側から握ることができて、使用者の手が把手用ハンドルを握る方向と動作が自然であり、使い勝手の良い電気掃除機が得られる。また、把手用ハンドルは掃除機本体の重心が軽い側の連結部の側面に設けることにより、持ち運ぶ際に、重心が重い方が下になりバランスよく持つことができる。更に、把手用ハンドルの把手部は曲面形状に形成されているので、清掃作業中に床面を引き回す際に、家具等にぶつかっても曲面形状で滑らかに回避し、衝撃力を逃すことができる。
【発明を実施するための最良の形態】
【００１８】
本発明の電気掃除機の実施形態について図１〜図７により説明する。図１は本発明の電気掃除機の外観図を示す。図１において、１は把手用ハンドル、２は連結部、３は掃除機本体、４はホースである。
【００１９】
把手用ハンドル１は掃除機本体３とホース４との連結部２の側面に連結部２と平行に位置するように形成されており、掃除機本体を持ち運ぶ場合に掴んで用いるものである。また、把手用ハンドル１は掃除機本体３の重心が軽い側の連結部２の側面に設けることにより、持ち運ぶ際に、重心が重い方が下になりバランスよく持つことができる。
【００２０】
図２は把手用ハンドルと連結部の横断面図である。図において、１は把手用ハンドル、２は連結部、５は把手部、６は軸、７は穴、８は抜け止め、９はトーションバネ等の付勢手段である。ホースと掃除機本体との連結部２の側面に構成される把手用ハンドル１は、把手部５と軸６から成り、該軸６は連結部２に形成されている穴７に挿入されて抜け止め８により、把手用ハンドルの連結部２からの外れが防止される。また、把手部５は曲面形状に形成されており、家具等にぶつかっても衝撃力を逃すようにしている。
【００２１】
軸６と穴７は復元力のある付勢手段８により連結され。この例では、トーションバネを例示して説明している。把手用ハンドル１と連結部２が平行な時、トーションバネ８が自然状態となるように構成される。把手用ハンドル１の使用時、即ち、掃除機本体を持ち運ぶ場合は、該トーションバネ８に抗して、該把手用ハンドル１は回転可能となる。把手用ハンドル１の未使用時、即ち、電気掃除機を立て掛けておく場合あるいは清掃時には、該トーションバネ８の作用により、該把手用ハンドル１は連結部２と平行に位置するようになる。
【００２２】
図３は電気掃除機のスタンド収納時を示すものである。スタンド収納時は延長管１０は掃除機本体４の底面側に固定され、把手用ハンドル１は無荷重であるため、掃除機本体４の側面側で連結部２と平行に位置し、延長管９の収納の妨げとはならない。
【００２３】
図４は本発明の側面図であり、把手用ハンドル１は掃除機本体４の側面側で連結部２と平行に位置していることが示されている。図５、図６、図７は、清掃時に把手用ハンドルを掴んで掃除機本体を持ち上げる際の把手用ハンドルの回転の態様を示している。
【００２４】
図５は床面上の掃除機本体を手で掴む状態図であり、床面１２に置かれた掃除機本体３の連結部２の把手用ハンドル１を使用者の手１１が掴む。把手用ハンドル１は連結部２の側面側で平行に配置されているので、掴む際に把手部は常に上側から握ることができて、容易に掴むことができる。
【００２５】
図６は床面上の掃除機本体を把手用ハンドルを手で掴んで持ち上げつつある状態図である。把手用ハンドル１がトーションバネ９に抗して回転可能であるので、連結部２に対して回転し、把手用ハンドル１は常に上から持つことができるように、床面１２に対して平行な位置となる。
【００２６】
図７は床面上から掃除機本体を把手用ハンドルを手で掴んで持ち上げた状態図である。把手用ハンドル１がトーションバネ９に抗して回転可能であるので、連結部２に対して垂直の位置まで回転し、把手用ハンドル１は常に上から持てるように、床面１２に対して平行な位置となっている。これにより、使用者の手が把手用ハンドル１を握る方向と動作が自然であり、使い勝手の良い電気掃除機が得られる。そして、掃除機本体を立て掛けて把手用ハンドル１から手を離すと、トーションバネ９の復元力により把手用ハンドル１は連結部２と平行になり、図４に示すスタンド収納状態に戻る。
【産業上の利用可能性】
【００２７】
本発明では把手用ハンドルを電気掃除機に適用した例を述べたが、掃除機に限ることなく、他の装置を持ち上げる手段にも適用できることは当業者にとっては明らかである。
【図面の簡単な説明】
【００２８】
【図１】本発明の電気掃除機の外観図。
【図２】本発明の把手用ハンドルと連結部の横断面図。
【図３】本発明の電気掃除機のスタンド収納図。
【図４】本発明の電気掃除機の側面図。
【図５】床面上の掃除機本体の把手用ハンドルを掴む状態図。
【図６】床面上の掃除機本体を持ち上げ過程の状態図。
【図７】床面上の掃除機本体を持ち上げ完了した状態図。
【図８】従来の電気掃除機のスタンド収納図。
【図９】従来の他の電気掃除機のスタンド収納図。
【符号の説明】
【００２９】
１            把手用ハンドル
２            連結部
３            掃除機本体
４            ホース
５            把手部
６            軸
７            穴
８            抜け止め
９            付勢力手段（例えば、トーションバネ）
１０          延長管
１１          使用者の手
１２          床面
【図１】
2005087658.tif 000003
【図２】
2005087658.tif 000004
【図３】
2005087658.tif 000005
【図４】
2005087658.tif 000006
【図５】
2005087658.tif 000007
【図６】
2005087658.tif 000008
【図７】
2005087658.tif 000009
【図８】
2005087658.tif 000010
【図９】
2005087658.tif 000011